【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
モータ用の回路であって、
前記回路のモータ相巻線の半分を形成する少なくとも２つの相巻線と、前記回路の前記モータ相巻線の他の半分を形成する他の少なくとも２つの相巻線と、
前記回路の前記半分のモータ相巻線と、前記回路の前記他の半分のモータ相巻線との間にあり、前記モータ相巻線のうちの１つ以上から伝送された交流（ＡＣ）電力を受信して前記ＡＣ電力をＤＣ電力に変換する直流（ＤＣ）電源と、
前記モータ相巻線と前記ＤＣ電源との間の電流経路の外部に少なくとも１つの電力スイッチを備え、前記回路の前記半分のモータ相巻線を形成する少なくとも２つの相巻線の間及び前記回路の前記他の半分のモータ相巻線を形成する他の少なくとも２つの相巻線の間に電気的に接続された第１段の電力スイッチ回路と、
前記モータ相巻線と前記ＤＣ電源との間の前記電流経路の外部に、前記モータ相巻線からＡＣ電力を受信する他の少なくとも１つの電力スイッチを備え、前記回路の前記半分のモータ相巻線と前記回路の前記他の半分のモータ相巻線との間に電気的に接続された第２段の電力スイッチ回路と、
前記ＤＣ電源に接続されて、前記少なくとも１つの電力スイッチ又は前記他の少なくとも１つの電力スイッチがオンしているときに前記ＤＣ電源が崩壊するのを防止する、少なくとも１つの非崩壊ＤＣ電源部品と、
を備える、回路。
【請求項２】
前記第１段の電力スイッチ回路及び前記第２段の電力スイッチ回路を制御するためのモータコントローラであって、
（ｉ）前記回路の前記半分のモータ相巻線と、前記回路の前記他の半分のモータ相巻線との間と、
（ｉｉ）前記回路の前記半分のモータ相巻線を形成する前記少なくとも２つの相巻線の間及び前記回路の前記他の半分のモータ相巻線を形成する前記他の少なくとも２つの相巻線の間と
の少なくとも一つに電気的に接続されたモータコントローラをさらに備える、請求項１に記載の回路。
【請求項３】
前記モータコントローラは、
前記第１段の電力スイッチ回路を制御する第１段のモータコントローラと、
前記第２段の電力スイッチ回路を制御する第２段のモータコントローラと、
を含む、請求項２に記載の回路。
【請求項４】
前記モータコントローラは、前記モータが同期速度に達したときに、前記第１段の電力スイッチ回路をオフし、前記第２段の電力スイッチ回路をオンする、請求項２に記載の回路。
【請求項５】
前記第２段の電力スイッチ回路がオンしたときに、前記回路の前記他の半分のモータ相巻線を形成する前記他の少なくとも２つの相巻線が活性化する、請求項４に記載の回路。
【請求項６】
前記第１段の電力スイッチ回路は、少なくとも２つの外側のモータ相巻線を活性化する、請求項２に記載の回路。
【請求項７】
前記第２段の電力スイッチ回路は、少なくとも２つの内側のモータ相巻線を活性化する、請求項２に記載の回路。
【請求項８】
前記少なくとも１つの非崩壊ＤＣ電源部品が、
前記モータ相巻線と前記電力スイッチ回路との間の１つ以上の抵抗器と、
前記モータ相巻線と前記電力スイッチ回路との間の１つ以上のツェナーダイオードと、
のうちの少なくとも１つを備える、請求項１に記載の回路。
【請求項９】
前記少なくとも１つの非崩壊ＤＣ電源部品が、前記ＤＣ電源に電気的に接続された少なくとも２つの外側のモータ相巻線のうちの少なくとも１つからの少なくとも１つのタップを備え、前記ＡＣ電力を前記ＤＣ電源に供給して前記電力スイッチ回路をバイパスする、請求項１に記載の回路。
【請求項１０】
前記少なくとも１つの非崩壊ＤＣ電源部品が、少なくとも２つの外側のモータ相巻線のうちの少なくとも１つに対して巻回され且つ前記ＤＣ電源に電気的に接続された少なくとも１つの二次相コイル巻線を備え、前記ＡＣ電力を前記ＤＣ電源に供給して前記電力スイッチ回路をバイパスする、請求項１に記載の回路。
【請求項１１】
前記第１段の電力スイッチ回路が、前記少なくとも１つの電力スイッチと並列に電圧レギュレータを備え、前記少なくとも１つの電力スイッチがオン及びオフのときに前記電圧レギュレータを介して電流が流れる、請求項１に記載の回路。
【請求項１２】
さらに、前記モータを備え、前記モータが、同期速度で、同期速度未満で、及び同期速度超で動作することができる、請求項１に記載の回路。
【請求項１３】
前記少なくとも１つの非崩壊ＤＣ電源部品が、
サイクルの第１の部分の間の前記少なくとも１つの電力スイッチがオンのときに前記ＤＣ電源が崩壊するのを防止するための第１の非崩壊ＤＣ電源部品と、
前記サイクルの第２の部分の間の前記少なくとも１つの電力スイッチがオンのときに前記ＤＣ電源が崩壊するのを防止するための第２の非崩壊ＤＣ電源部品と、
を含む、請求項１に記載の回路。
【請求項１４】
前記第１及び第２の非崩壊ＤＣ電源部品が、それぞれ、外側のモータ相巻線からのタップを備え、前記ＤＣ電源に電気的に接続されて、前記外側のモータ相巻線から交流（ＡＣ）電力を受信し且つ前記ＡＣ電力を前記ＤＣ電源に供給して前記電力スイッチ回路をバイパスする、請求項８に記載の回路。
【請求項１５】
前記第１及び第２の非崩壊ＤＣ電源部品が、それぞれ、外側のモータ相巻線からの交流（ＡＣ）電力を受信し且つ前記ＡＣ電力を前記ＤＣ電源に供給して前記電力スイッチ回路をバイパスするように、前記外側のモータ相巻線に対して巻回され且つ前記ＤＣ電源に電気的に接続された二次相コイル巻線を備える、請求項８に記載の回路。
【請求項１６】
モータの回路のための方法であって、
前記回路のモータ相巻線の半分を形成する少なくとも２つの相巻線と、前記回路のモータ相巻線の他の半分を形成する他の少なくとも２つの相巻線とを提供することと、
前記回路の前記半分のモータ相巻線と、前記回路の前記他の半分のモータ相巻線との間に直流（ＤＣ）電源を接続して、前記ＤＣ電源が前記モータ相巻線のうちの１つ以上から伝送された交流（ＡＣ）電力を受信して前記ＡＣ電力をＤＣ電力に変換することと、
第１段の電力スイッチ回路を、前記回路の前記半分のモータ相巻線を形成する前記少なくとも２つの相巻線の間及び前記回路の前記他の半分のモータ相巻線を形成する前記他の少なくとも２つの相巻線の間に、電気的に接続し、前記第１段の電力スイッチ回路が、前記モータ相巻線と前記ＤＣ電源との間の電流経路の外部に少なくとも１つの電力スイッチを備えることと、
第２段の電力スイッチ回路を、前記回路の前記半分のモータ相巻線と前記回路の前記他の半分のモータ相巻線との間に、電気的に接続し、前記第２段の電力スイッチ回路が、前記モータ相巻線と前記ＤＣ電源との間の前記電流経路の外部に、前記モータ相巻線からＡＣ電力を受信する他の少なくとも１つの電力スイッチを備えることと、
少なくとも１つの非崩壊ＤＣ電源部品を前記ＤＣ電源に接続して、前記少なくとも１つの電力スイッチ又は前記他の少なくとも１つの電力スイッチがオンしているときに前記ＤＣ電源が崩壊するのを防止することと、
を含む、方法。
【請求項１７】
前記第１段の電力スイッチ回路及び前記第２段の電力スイッチ回路を制御するためのモータコントローラを、
（ｉ）前記回路の前記半分のモータ相巻線と、前記回路の前記他の半分のモータ相巻線との間と、
（ｉｉ）前記回路の前記半分のモータ相巻線を形成する前記少なくとも２つの相巻線の間及び前記回路の前記他の半分のモータ相巻線を形成する前記他の少なくとも２つの相巻線の間と
のうちの少なくとも１つに電気的に接続することをさらに含む、請求項１６に記載の方法。